(57)【要約】  本発明は、脛骨の前に配置された剛性のシールド要素（３）と、このシールド要素（３）を下腿（１）に固定するための機構とを備える、特にサッカー選手用の脛骨保護具に関する。本発明によれば、固定機構が下腿（１）を包み込んで締め付けるバンデージ（２）を有し、シールド要素（３）が、その脛骨に面した内面（２３）の大きな部分を介してバンデージ（２）と結合される。【選択図】図２
2009502378.tif 000002
【特許請求の範囲】
【請求項１】
脛骨の前に配置される剛性のシールド要素（３）と、前記シールド要素を下腿（１）に固定するための機構とを備える、特にサッカー選手用の脛骨保護具において、前記固定機構が下腿（１）を包み込んで締め付けるバンデージ（２）を有すること、ならびに前記シールド要素（３）が、その脛骨に面した内面（２３）の大きな部分を介して前記バンデージ（２）と結合されることを特徴とする脛骨保護具。
【請求項２】
当該シールド要素（３）が、当該バンデージ（２）と取外し可能に結合されることを特徴とする請求項１に記載の脛骨保護具。
【請求項３】
当該シールド要素（３）が、当該バンデージ（２）とマジックテープ（登録商標）（１７、１８）を介して結合されることを特徴とする請求項１または２に記載の脛骨保護具。
【請求項４】
当該バンデージ（２）が、伸縮性材料、特に繊維材料から成ることを特徴とする請求項１から３のいずれか一項に記載の脛骨保護具。
【請求項５】
当該バンデージ（２）が、下腿（１）に固定するために、下腿（１）の周りに一周巻きつけることができ、前記バンデージ（２）の重なり合う端部（１１、１３；１２、１４）が、好ましくはマジックテープ（登録商標）（１０）によって互いに結合可能であることを特徴とする請求項１から４のいずれか一項に記載の脛骨保護具。
【請求項６】
当該バンデージ（２）が、上は膝窩（８）の付近に、下は踝（９）の付近に達することを特徴とする請求項１から５のいずれか一項に記載の脛骨保護具。
【請求項７】
当該シールド要素（３）が、当該バンデージ（２）の当該下端部より上で終わることを特徴とする請求項１から６のいずれか一項に記載の脛骨保護具。
【請求項８】
当該バンデージ（２）が、ふくらはぎ（４）を自由にさせる開口部（５）を含むことを特徴とする請求項１から７のいずれか一項に記載のバンデージ。
【請求項９】
当該開口部（５）の上および下に残っている、下腿（１）を包み込んで締め付ける結合領域（６、７）が、腓腹筋の活動を妨げないように、膝窩および踝の付近に配置されており、かつそのような長さを有することを特徴とする請求項８に記載の脛骨保護具。
【請求項１０】
当該バンデージ（２ａ）が、パッド付き踝保護部（２０）を形成するために好ましくは足の裏（２１）の周りに回すことができるフラップ（１９）を有することを特徴とする請求項１から９のいずれか一項に記載の脛骨保護具。
【請求項１１】
当該バンデージ（２）が、脛骨の前に配置されたシールド要素（３）と結合するための機構（１７）を有しており、その際、前記シールド要素（３）の内面の大きな部分との結合を作り得ることを特徴とする請求項１から１０のいずれか一項に記載の脛骨保護具用のバンデージ。
【発明の詳細な説明】
【技術分野】
【０００１】
本発明は、脛骨の前に配置される剛性のシールド要素と、このシールド要素を下腿に固定するための機構とを備える、特にサッカー選手用の脛骨保護具に関する。
【背景技術】
【０００２】
サッカー選手用の従来の脛骨保護具の固定機構は、下腿の裏側で端部同士を互いに結合できる複数のフラップを含んでおり、これらのフラップのもう一方の端部はシールド要素の縁と結合される。保護シールドに作用する力は、結合箇所を介して完全にフラップに伝達されるので、試合中にフラップおよびそのフラップに伴ってシールド要素がずれやすく、これは選手にとって非常に不快である。
【発明の開示】
【発明が解決しようとする課題】
【０００３】
本発明は、脛骨におけるシールド要素の位置の安定を保証する、冒頭に述べた種類の新規な脛骨保護具を提供することを課題とする。
【課題を解決するための手段】
【０００４】
この課題を解決する本発明による脛骨保護具は、固定機構が下腿を包み込んで締め付けるバンデージを有すること、ならびにシールド要素が、その脛骨に面した内面の大きな部分を介してバンデージと結合されることを特徴とする。
【０００５】
本発明によれば、例えば内面の５０％を超える広い面積でバンデージとシールド要素が結合することにより、シールド要素に作用する力が、バンデージと下腿の間の静止摩擦力を超えないように分散される。したがって、通常の状況では、バンデージが、したがってシールド要素がずれることはほぼあり得なくなる。
【０００６】
シールド要素はバンデージから取外し可能であることが好ましい。取外し可能な結合としては、特にマジックテープ（登録商標）が考慮される。
【０００７】
バンデージは、肌に快適な装着感を与える伸縮性材料、特に繊維材料から成ることが有用である。有利なことに、この伸縮性によって、バンデージの所望の締付け力を、安定的で再現可能に調整することができる。
【０００８】
好ましい実施形態では、バンデージは下腿の周りに一周だけ巻きつけることができ、重なり合う端部を、好ましくはマジックテープ（登録商標）によって互いに結合させることができる。有利なことに、マジックテープ（登録商標）は、フラップ端部の重なり度合いを適切に選択することにより、バンデージの締付け力を所望のように調整できるように、十分な可変性を提供する。
【０００９】
バンデージは、上は膝窩の付近まで、下は踝の付近まで達することが好ましい。こうすると、下腿の長さ全体が、バンデージの、したがってシールド要素の安定した据付けの達成に利用されることになる。
【００１０】
シールド要素は、バンデージの下端部より上で終わっていることが好ましい。バンデージのうち、シールド要素の端部より下にはみ出している部分は、下腿でのバンデージの据付けを更に安定させる。
【００１１】
本発明の特に好ましい実施形態では、バンデージがふくらはぎを自由にさせる開口部を含んでいる。
【００１２】
開口部の上および下に残っている、下腿を包み込んで締め付ける結合領域は、腓腹筋の活動によって下腿の断面が様々に変化する領域の上および下にくるように、その長さが決定され、かつそのように配置されることが有用である。これにより脛骨保護具が脚の動きをまったく妨げないようになる。
【００１３】
本発明の更なる実施形態では、バンデージが、パッド付き踝保護部を形成するために好ましくは足の裏の周りに回すことができる、下に延びるフラップを有することができる。
【発明を実施するための最良の形態】
【００１４】
以下に、例示的実施形態およびその例示的実施形態に関連する添付の図面に基づき、本発明をより詳しく説明する。
【００１５】
ハイソックスの下に着用すべきサッカー選手用の脛骨保護具は、下腿１に取付け可能なバンデージ２を有しており、このバンデージは、脛骨の前に配置するように企図された剛性のシールド要素３と、マジックテープ（登録商標）を介して結合可能である。
【００１６】
伸縮性の繊維材料から作製されたバンデージ２は、ふくらはぎ４の大部分を露出させる開口部５を有する。この開口部の上および下に残っている結合区間６および７はそれぞれ、下腿のうち、腓腹筋の活動による下腿断面の変化が少ない領域に広がっている。
【００１７】
バンデージ２は、図１から分かるように上は膝窩８の付近に、下は踝９の付近に達している。
【００１８】
バンデージ２を下腿から剥がして平らに広げて示した図３ａによれば、結合区間６はフラップ１１および１２を含み、結合区間７はフラップ１３および１４を含んでいる。フラップ端部にはそれぞれマジックテープ（登録商標）１５または１６を形成するための留め領域１０が設けられている。
【００１９】
バンデージ２上の留め面１７が、図示した実施形態ではシールド要素３の内面２３全体に広がる留め面１８と共に、上述のマジックテープ（登録商標）を形成する。
【００２０】
図１から図３に示した脛骨保護具は、サッカー・シューズおよびハイソックスを脱ぐ必要なく、楽に装着できる。ハイソックスを巻き下ろしただけで、バンデージ２を下腿に当てがい、マジックテープ（登録商標）１５および１６を閉じる。最後にシールド要素３を上に被せ、シールド要素の内面２３全体に広がる留め面１８をバンデージ２上の留め面１７とかみ合わせる。
【００２１】
この脛骨保護具は快適に着用していられる。開口部５により、腓腹筋の活動が、したがって脚の動きが全体的に妨げられなくなる。
【００２２】
１つには、シールド要素３の内面２３全体にわたってシールド要素３とバンデージ２が結合することにより、もう１つには、下腿に対してバンデージ２を相応に大きな面で当てがうことにより、バンデージが、シールド要素３を脛骨の前での所望の配置に保ち続け、横または垂直にずれないことが保証される。
【００２３】
バンデージ２は、有利なことに、シールド要素３を取り外した場合に衣服のように洗濯可能である。同じシールド要素３を、様々なバンデージと共に使用することができる。
【００２４】
それでもシールド要素３がずれた場合には、楽に所望の位置に戻すことができ、その際には、上にある靴下を巻き下ろし、マジックテープ（登録商標）１５および１６を開き、シールド要素３の位置を直して再び閉じる。場合によってはマジックテープ（登録商標）を開かなくても、バンデージ２を回すことができる。
【００２５】
図４に示した脛骨保護具の例示的実施形態は、下の固定区間７ａにフラップ１９が繋がっており、このフラップが踝の領域において、２０において入れられて踝保護部を形成する点で上述の実施形態と異なっている。脚の裏２１の周りに回されたフラップの端部を、マジックテープ（登録商標）によって２２においてバンデージ２ａに固定することができる。
【図面の簡単な説明】
【００２６】
【図１】下腿と結合された本発明による脛骨保護具の側面図である。
【図２】下腿における図１の脛骨保護具を、保護シールド要素を取り外して示した図である。
【図３】下腿から剥がして個々の部分に分解した図１の脛骨保護具を示す図である。
【図４】本発明の第２の実施形態に基づく脛骨保護具の部分図である。
【符号の説明】
【００２７】
１  下腿
２  バンデージ
２ａ  バンデージ
３  シールド要素
４  ふくらはぎ
５  開口部
６  結合区間、結合領域
７  結合区間、結合領域
８  膝窩
９  踝
１０  マジックテープ（登録商標）
１１  フラップ、端部
１２  フラップ、端部
１３  フラップ、端部
１４  フラップ、端部
１５  マジックテープ（登録商標）
１６  マジックテープ（登録商標）
１７  留め面、マジックテープ（登録商標）、機構
１８  留め面、マジックテープ（登録商標）
１９  フラップ
２０  踝保護部
２１  脚の裏
２２  マジックテープ（登録商標）
２３  内面
【図１】
2009502378.tif 000003
【図２】
2009502378.tif 000004
【図３】
2009502378.tif 000005
【図４】
2009502378.tif 000006
【国際調査報告】
2009502378.tif 000007
2009502378.tif 000008
2009502378.tif 000009
2009502378.tif 000010